(57)【要約】【課題】本発明はこのような問題点を解決し、小型で持ち運びができ、練習グリーン上で本芝生を傷めることなく使用できるゴルフパッティング練習器を提供するものである。【解決手段】巻尺ケース本体と、この巻尺ケース本体に収納されると共に引き出入口より引き出される測定目盛付テープと、更に前記引き出入口の左右両側に位置すると共に、前記巻尺ケース本体に軸支された左右の当板と、この左右の当板の下縁より突き出してグリーン上に差し込まれる左右の差込足とで成したと共に、左右の当板にゴルフボールの衝撃を吸収する衝撃吸収部材を備えたものである。【選択図】図１２
2011167493.tif 000002
【特許請求の範囲】
【請求項１】
巻尺ケース本体と、この巻尺ケース本体に収納されると共に引き出入口より引き出される測定目盛付テープと、更に前記引き出入口の左右両側に位置すると共に、前記巻尺ケース本体に軸支された左右の当板と、この左右の当板の下縁より突き出してグリーン上に差し込まれる左右の差込足とで成したことを特徴としたゴルフパッティング練習器。
【請求項２】
前記左右の当板は、ゴルフボールの衝撃を吸収する衝撃吸収部材を備えたことを特徴とする請求項１記載のゴルフパッティング練習器。
【発明の詳細な説明】
【技術分解】
【０００１】本発明は、ゴルフパッティング練習器に関するものである。
【背景技術】
【０００２】従来のゴルフパッティング練習器は、人工芝等で作成されたパターマット練習器具など、パタークラブでボールを真っ直ぐ転がす為や、目標物までのボールの転がりの強弱の技術の上達のための練習を目的としたものである。【０００３】上述以外では、ゴルフボールの本芝生パッティング練習器具としてレールの上でゴルフボールをパタークラブで打ち出し。レールを通過した後のボールの転がりを確認してコースのグリーン上での傾斜、打撃の強弱の反復練習をするものがある。
【特許文献１】特開１０−１３７３７７号会報
【特許文献２】特開２００５−３１３００５号会報
【特許文献３】特開２００１−３５３２４９号会報
【０００４】特許文献１において、従来のパッティング練習器具はパタークラブでボールを真っ直ぐに転がす技術のパッティング練習器具であり、本芝生で使用するパッティング練習器具に至ってはコースのグリーン芝目、左右の傾斜、上り下りの傾斜、ボールを打つ時の力の強弱を知るためのパッティング練習器で、ボールをパタークラブで真っ直ぐに転がす練習、目標物までのボールの強弱を覚えるための練習しかできなかった。【０００５】このため従来のパッティング練習器具では真っ直ぐに転がす技術の上達、もしくはグリーンの芝目、左右の傾斜、上り下りの傾斜を知ることを最優先している。【０００６】上述の如く、従来のパッティング練習器具をキャディバック、荷物のバック等に入れて、ゴルフコースの本芝生のパター練習場まで運ぶには練習器具が大型である。【０００７】特許文献１、２、３の発明のゴルフパッティング練習器具は板状の構造で制作された大型の練習器具である。そのため、本芝生上の設置面積が大きく、光を遮り、重さで本芝生に負担をかけ、適用は難しい。【０００８】上述の如く、従来のパッティング練習器具はキャディーバッグ又は手に持つバッグに収納するには大型である。携帯性、小型化で、軽く、ポケットに入るコンパクトサイズのゴルフパッティング練習器は存在していなかったのが現状である。
【発明の開示】
【発明が解決しようとする課題】本発明はこのような問題点を解決し、小型で持ち運びができ、練習グリーン場で本芝生を傷めることなく使用できるパッティング練習器を提供するものである。
【課題を解決するための手段】
【０００９】本発明は、測定目盛付きテープを収納する巻尺ケース本体と、前記巻尺ケース本体の測定目盛付きテープの出入り口近傍の両側に設けられた折り曲げ羽を備え、前記測定目盛付きテープの先端にはテープをグリーン上に固定する手段を設けるとともに当板をグリーン上に固定する手段を設けたものである。更に本発明は、
【発明の効果】
【００１０】請求項１により、巻尺ケース本体と、この巻尺ケース本体に収納されると共に、引き出入口より引き出される測定目盛付テープと、更に前記引き出入口の左右両側に位置する左右の当板と、グリーン上に差し込まれる左右の差込足とで成したものであり【００１１】更に巻尺ケース本体から引き出される測定目盛付きテープにより正確な距離、例えば、０．５ｍ、１ｍ、１．５ｍ、２．５ｍの打撃練習ができることが特徴とし【００１２】又、コース内でのショートホールのニヤピンが両者のどちらか測る時に、測定目盛付テープは、容易に測定ができる。【００１３】又、巻尺ケース本体に軸支持された左右の当板により小型化、ポータブル化ができ、何処でも容易に使用が可能である。【００１４】請求項２により、左右当板はゴルフボールの衝撃を吸収する衝撃吸収部材を備えたことでグリーン面から動かないので、より正確な距離間を身につける練習ができる。【００１５】更に、衝撃吸収部材を備えたことで巻尺ケース本体と当板を保護することができる。
【図面の簡単な説明】
【００１６】
【図１】本発明に係るゴルフパッティング練習器を示す斜視図
【図２】ゴルフパッティング練習器の正面図
【図３】ゴルフパッティング練習器の平面図
【図４】当板を広げた状態の正面図
【図５】当板を広げた状態の平面図
【図６】当板を広げた状態の背面図
【図７】当板固定具収納状態の拡大斜視図
【図８】当板固定具使用例を示す拡大図
【図９】当板を固定しテープを引き出しグリーン面に固定した状態の使用例を示す左側面図
【図１０】当板を固定しテープを引き出しグリーン面に固定した状態の使用例を示す平面図
【図１１】テープ表面に測定目盛表示部の拡大図
【図１２】当板をグリーン面に固定しテープを引き出す固定した状態の使用例を示す斜視図
【図１３】衝撃吸収部材３を当板２から外した状態の拡大図
【発明を実施するための形態】
【００１７】以上、本発明の実施例を、添付の図面を参照しながら説明する。図１、図２Ａに示すようにテープＴを収納する巻尺ケース本体１の両側に、当板２を軸支持部５により回動状態に設けられるとともに、巻尺ケース本体１と当板２にそれぞれ衝撃吸収部材３を備え、巻尺ケース本体１の下部にテープ引き出入口Ｈを有し、テープＴの先端部に固定具４が設けてある。
【００１８】図３に示すように、使用しない状態では巻尺ケース本体１に設けた凹部７と、当板２の裏面に設けた凸部６がはまり合って当板２が折りたたまれた状態で保持される、当板固定具９は、グリーンに突き刺さって当板２を固体するための固定具で、当板指示部材８は当板固定具９をスライド可能に支持する支持部材で、当板２の裏面に固定されている。
【００１９】図４に示すように、巻尺ケース本体１にテープ引き出入口ＨとテープＴとテープ固定具４が設け、巻尺ケース本体１の両側の軸支持部５により回動状態にて前方に広げられている両側の当板２に衝撃吸収部材３を設けられている。
【００２０】図５に示すように、保持されている凹部７と凸部６が解除され、軸支持部５により前方に広げられた当板２と衝撃吸収部材３とテープ引き出入口Ｈ、テープＴ、テープ固定具４が打撃対向面にあって、当板２の裏に当板支持部材８と、当板固定具９が設けられている。
【００２１】図６に示すように、軸支持部５により広げられた当板２の裏面の凸部６、巻尺ケース本体１の両側に設けた凹部７が解除され、当板固定具９を当板支持部材８に収納状態で設けられている。
【００２２】図７に示すように、上記記載図４の当板支持部材８と当板固定具９を拡大し斜視から見たものである。
【００２３】図８に示すように、上記記載図５Ａの収納状態の当板固定具支持部材８から当板固定具９をスライドさせ、グリーンｇ面から地下ａに差し込み、固定した当板２の使用例の状態である。
【００２４】図９にしめすように、上記記載図５Ｂの当板２が当板保持部材８からスライドされた当板固定具９によりグリーン面ｇに固定され、打撃対向面に当板２を保護する衝撃吸収部材３、テープＴをグリーン面ｇに固定するテープ固定具４を設け、ラインのテープＴからパタークラブ１１により打撃されるゴルフボール１０の目標物となる巻尺ケース本体１の使用例の状態である。
【００２５】図１０に示すように、上記記載図６Ａの使用例の状態で、テープ引き出入口Ｈから引き出されたテープＴにパタースイングの強弱の振り幅を目視によって測ることができる測定目盛１２が設けられている。
【００２６】図１１に示すように、上記記載図６Ｂの使用例の状態にあるテープＴの表面の測定目盛１２を拡大したものである。
【００２７】図１２に示すように、巻尺ケース本体１をグリーン面に設置し、目標となる当板２、衝撃吸収部材３を対向面に打撃するゴルフボール１０、パタークラブ１１を使用状態にして、テープ固定具４からなるテープＴ表面の測定目盛１２を確認してパタースイングの強弱の練習の使用例を示す斜視図である。
【００２８】図１３に示すように、衝撃吸収部材３を当板２から外した状態の図である。
【符号の説明】
【００２９】１  巻尺ケース本体
２  当板
３  衝撃吸収部材
４  テープ固定具
５  軸支持部
６  凸部
７  凹部
８  当板支持部材
９  当板固定具
１０  ゴルフボール
１１  パタークラブ
１２  測定目盛
Ｈ  テープ引き出入口
Ｔ  テープ
ｇ  グリーン表面
ａ  グリーン地下
【図１】
2011167493.tif 000003
【図２】
2011167493.tif 000004
【図３】
2011167493.tif 000005
【図４】
2011167493.tif 000006
【図５】
2011167493.tif 000007
【図６】
2011167493.tif 000008
【図７】
2011167493.tif 000009
【図８】
2011167493.tif 000010
【図９】
2011167493.tif 000011
【図１０】
2011167493.tif 000012
【図１１】
2011167493.tif 000013
【図１２】
2011167493.tif 000014
【図１３】
2011167493.tif 000015